(57)【特許請求の範囲】
【請求項１】
建物ラーメン構造の基礎構造体であって、
該基礎構造体は、すくなくとも複数の現場打ちコンクリート製のフーチングとその間に配置されたコンクリート製の大梁とで連続的に形成され、
前記大梁は、同じ部材幅で形成されるプレキャスト梁中間部材と両端の現場打ち梁端部材とからなり、
前記フーチングと大梁とを貫通して緊張材が配設され緊張定着してプレストレスが付与され、
前記基礎構造体の中間部において、少なくとも１箇所に緊張材の連結部が配置され、
該連結部は、フーチングと部材幅が梁中間部材より大きく形成される梁端部材とからなり、
連結部の平面において、フーチングの対向する両端面に定着部が位置をずらしてそれぞれ設けられ、一方から配設される緊張材がフーチングを貫通して片端面の定着部に定着されると共に、他端面の定着部から新たな緊張材が先に配設された緊張材とラップして、梁端部材内に曲げ配線して他方へ延伸して配設され、
前記各梁中間部材は、断面形状寸法を同じとし、部材内の緊張材の配設が一直線で貫通のみとして形成されること
を特徴とするＰＣ基礎構造体。
【請求項２】
前記梁中間部材の長さは、スパンの１/２〜２/３の長さとすること
を特徴とする請求項１に記載のＰＣ基礎構造体。
【請求項３】
前記建物ラーメン構造は、上部構造と下部構造との間に免震装置が設置された免震建物構造とし、前記基礎構造体は、当該上部構造の最下階の構造体とすること
を特徴とする請求項１または２に記載のＰＣ基礎構造体。
【請求項４】
建物ラーメン構造の基礎構造体の構築方法であって、
該基礎構造体を、すくなくとも複数の現場打ちコンクリート製のフーチングとその間に配置されたコンクリート製の大梁とで連続的に形成し、
前記大梁は、プレキャスト梁中間部材と両端の現場打ち梁端部材とを同じ部材幅で形成し、
前記フーチングと大梁とを貫通して緊張材を配設して緊張定着してプレストレスを付与させ、
前記基礎構造体の中間部において、少なくとも１箇所に緊張材の連結部を配置し、該連結部をフーチングと部材幅を梁中間部材より大きくする梁端部材とで形成し、該フーチングの反対側に隣接する大梁を後構築部として設けて、後構築部以外の前記フーチングと大梁を先行構築して形成させ、緊張材を緊張定着してプレストレスを付与した後に、後構築部を構築して緊張材を緊張定着して、先行構築された基礎構造体と一体化させること
を特徴とするＰＣ基礎構造体の構築方法。
【請求項５】
前記の後構築部を２０ｍ〜３０ｍ毎に設けること
を特徴とする請求項４に記載のＰＣ基礎構造体の構築方法。
【発明の詳細な説明】
【技術分野】
【０００１】
本発明は、建物ラーメン構造または免震建物ラーメン構造のＰＣ基礎構造体及びその構築方法に関するものである。
【背景技術】
【０００２】
この種のＰＣ基礎構造体に関する従来技術が複数公知になっている。例えば、第１の公知技術としては、上部躯体は、柱部と梁部とを、プレストレス導入用長尺体の緊張によって連結してあり、前記免震装置は、免震装置本体の上部に一体に連結ブロックを設けて構成してあると共に、前記連結ブロックには、その側方に配置する梁端部を載置自在な載置部が形成してあり、前記上部躯体における最下階の梁部は、前記連結ブロックの前記載置部上に梁端部を載置した状態でプレストレス導入用長尺体の緊張によって前記連結ブロックと連結してある免震建物構造、である（特許文献１参照）。
【０００３】
上記第１の公知技術は、上部躯体は、柱部と梁部とを、プレストレス導入用長尺体の緊張によって連結してあるから、上部躯体としての剛性を高いものとすることが可能となり、地震に伴う上部躯体の変形を抑制して前記免震装置の免震作用をより効率よく発揮させることが可能となる。従って、必要以上に免震装置をグレードアップする必要が無くなり、コストアップを防止することも可能となる、というものである。
【０００４】
第２の公知技術については、下部躯体に設置された免震装置の上面で、上部躯体の最下階のプレキャストコンクリートの梁の端部と現場打ち鉄筋コンクリートの連結部とが一体接合され、前記プレキャストコンクリートの梁の端部から突出した下端筋が前記連結部内で定着することによって連結部と梁が一体接合された免震建物構造、である（特許文献２参照）。
【０００５】
上記第２の公知技術による免震建物構造では、梁の下端筋を端部から突出させて現場打ち鉄筋コンクリートの連結部内に定着し、他の梁の端部から突出した下端筋と鉄筋継手で接続することができるので、梁の端部においては、曲げ耐力が梁主筋と緊張材とで半分ずつ負担するとすれば、緊張材量を半分に減らすことができ、せん断力についてもコンクリート全断面が負担することによって緊張材量を大幅に減らすことができるので、プレストレス導入力による軸変形量も半分に減って、プレストレス導入力を支障のない程度に抑えることができる、というものである。
【先行技術文献】
【特許文献】
【０００６】
【特許文献１】特許第３９１６３３６号の特許公報
【特許文献２】特許第４４７２７２６号の特許公報
【発明の概要】
【発明が解決しようとする課題】
【０００７】
前記特許文献１では、連結ブロックも梁部もプレキャスト部材であるため、プレキャスト部材同士が鉄筋で繋げないために、ＰＣ鋼線の配線量を多くしなければならなかった。このＰＣ鋼線の配線量が多くなると、プレストレス導入力による軸変形量が多くなって免震装置が免震機能を発揮する前に変形してしまい、地震時に免震装置の免震性能を充分に発揮することができないという問題点を有している。
【０００８】
この問題については、免震構造だけではなく、耐震構造においても、通常のフーチング（または連結ブロック）の下に杭が設けられているため、プレストレス導入力による軸変形量が多くなると、杭の水平せん断抵抗によって杭頭部とフーチングとの接合にはひび割れや損傷等が生じ、基礎構造体の構造性能を損なうという問題が同様に発生する。
また、ＰＣ鋼線の長さに制約があり、通常では、梁間方向および桁行方向において、外周端から配設されたＰＣ鋼線を一旦途中で止めて緊張定着して、続いて新たなＰＣ鋼線を配設して連結する必要がある。
【０００９】
従来の技術においては、スパンの中間部に定着部を設けてＰＣ鋼線を定着することになっているが、その定着部は、ＰＣ鋼線の定着具及び緊張ジャッキ等を格納可能な大きな箱型切欠きが梁の上端に設けられる。この箱型切欠きによって、プレキャスト梁部材の中間部が断面欠損となり、所要な剛性と耐力を満足するために、梁部材の断面を大きくすることが必要となり、構造体のバランスやプレキャスト部材の型枠転用等の製作関係から、結果的に定着部を設けた梁部材の中間断面のみならず梁全長にわたって中間断面の大きさに合せて梁断面が大きくなってしまい、自重が増えることに対して運搬や揚重能力をアップして対応する必要が生じるだけではなく、杭基礎への負担と共に地震荷重が増え、コスト増になるという問題点が生じる。
【００１０】
前記特許文献２は、特許文献１に発生しているＰＣによる軸変形量が大きいという問題に対して、現場打ち鉄筋コンクリート連結部を設けて、鉄筋と緊張材が共同負担することによって緊張材量（ＰＣ鋼線量）を減らして軸変形量を抑制することができ、問題点を解消するようにしたものである。
しかし、緊張材とするＰＣ鋼線の定着部は、同じくプレキャスト梁の上端に大きな箱型切欠きを設けて対応することになっているため、上記の断面欠損の問題点が依然として解消されていない。
【００１１】
本発明は、前記従来技術における問題点を解決し、フーチングと大梁とを貫通して緊張材を配設して緊張定着してプレストレスを付与してＰＣ基礎構造体を形成するにあたって、梁間方向または桁行方向に適切な長さで緊張材の連結部を設ける必要に応じて、大梁を梁中間部材と両端の梁端部材に分けて、緊張材の連結部を現場打ちコンクリートとするフーチングと梁端部材とし、定着部をずらして配設することやＰＣ鋼線を交わしてラップしながら配置することによって、大きな部材断面や異なる部材断面となる箇所を梁端部材とフーチングに設けて対応し、プレキャスト部材とする梁中間部材に定着具用の切欠きやＰＣ鋼線を曲げ配線して互いにずらして交わして配置する箇所を一切設けず、同じ断面形状寸法及び長さで梁中間部材を形成し、該プレキャスト部材を形成する型枠の転用回数を多くしてコストダウンを図ると共に、部材を軽量化して建設現場への搬入や揚重等を容易にし、合理的で作業効率を向上させたＰＣ基礎構造体を提供することを目的とするものである。
【課題を解決するための手段】
【００１２】
前記目的を達成するための具体的手段として、本発明に係る第１の発明は、建物ラーメン構造の基礎構造体であって、該基礎構造体は、少なくとも複数の現場打ちコンクリート製のフーチングとその間に配置されたコンクリート製の大梁とで連続的に形成され、前記大梁は、同じ部材幅で形成されたプレキャスト梁中間部材と両端の現場打ち梁端部材とからなり、前記フーチングと大梁とを貫通して緊張材が配設され緊張定着してプレストレスが付与され、前記基礎構造体の中間部において、少なくとも１箇所に緊張材の連結部が配置され、該連結部は、フーチングと部材幅が梁中間部材より大きく形成された梁端部材とからなり、連結部の平面において、フーチングの対向する両端面に定着部が位置をずらしてそれぞれ設けられ、一方から配設される緊張材がフーチングを貫通して片端面の定着部に定着されると共に、他端面の定着部から新たな緊張材が先に配置された緊張材とラップして、梁端部材内に曲げ配線して他方へ延伸して配設され、前記各梁中間部材は、断面形状寸法を同じとし、部材内の緊張材の配設が一直線で貫通のみとして形成されることを特徴とするＰＣ基礎構造体を提供するものである。
【００１３】
上記発明において、前記梁中間部材の長さは、スパンの１/２〜２/３の長さとすること；及び前記建物ラーメン構造は、上部構造と下部構造との間に免震装置が設置された免震建物構造とし、前記基礎構造体は、当該上部構造の最下階の構造体とする、ことを付加的な要件として含むものである。
【００１４】
本発明に係る第２の発明は、建物ラーメン構造の基礎構造体の構築方法であって、
該基礎構造体を、少なくとも複数の現場打ちコンクリート製のフーチングとその間に配置されたコンクリート製の大梁とで連続的に形成し、前記大梁はプレキャスト梁中間部材と両端の現場打ち梁端部材とを同じ部材幅で形成し、前記フーチングと大梁とを貫通して緊張材を配設して緊張定着してプレストレスを付与させ、前記基礎構造体の中間部において、少なくとも１箇所に緊張材の連結部を配置し、該連結部をフーチングと部材幅を梁中間部材より大きくする梁端部材とで形成し、該フーチングの反対側に隣接する大梁を後構築部として設けて、後構築部以外の前記フーチングと大梁を先行構築して形成させ、緊張材を緊張定着してプレストレスを付与した後に、後構築部を構築して緊張材を緊張定着して、先行構築された基礎構造体と一体化させることを特徴とするＰＣ基礎構造体の構築方法を提供するものである。
【００１５】
上記第２の発明において、前記の後構築部を２０ｍ〜３０ｍ毎に設けること、を付加的な要件として含むものである。
【発明の効果】
【００１６】
本発明に係るＰＣ基礎構造体によれば、以下の効果を奏するものである。
１、基礎構造体において、梁間方向または桁行方向に適切な長さで緊張材の連結部を設ける必要に応じて、大梁をプレキャスト梁中間部材と両端の現場打ち梁端部材に分けて、同じ部材幅で梁端部材と梁中央部材を形成する大梁を一般部とし、部材幅を梁中間部材より大きくした梁端部材とフーチングを緊張材の連結部として形成し、連結部において、定着部の位置をずらして設置することやＰＣ鋼線をラップしながら交わして配設することによって、大きな部材断面や異なる部材断面となる箇所が発生することに対して、大きな断面形状を有するフーチングを有効に利用して、これらの箇所を現場打ちで形成される梁端部材とフーチングに設けて対応し、緊張材のラップ配線や定着具を交わす位置の設定が簡単にでき、プレキャスト部材とする梁中間部材に定着部用の切欠きやＰＣ鋼線を曲げ配線して互いにずらして交わすように配置する箇所を一切設けず、同じ断面形状寸法及び長さで梁中間部材を形成し、該プレキャスト部材を形成する型枠の転用回数を多くしてコストダウンを図ると共に、梁中間部材を軽量化して建設現場への搬入や揚重等を容易にし、合理的かつ作業効率を向上させることができる。
２、プレキャスト梁中間部材の長さは、スパンの１/２〜２/３とすることによって、より部材を合理的に統一して軽量化可能にすることが簡単にできる。
３、基礎構造体は、免震建物構造の上部構造の最下階の構造体とすることによって、地震入力値を小さくした上部構造によって、最適な部材断面寸法でプレキャスト中間梁部材を形成することができ、コンクリート部材で必要な剛性を確保した上で軽量化可能にして免震建物構造に最も相応しい上部構造が形成できる。
４、ＰＣ基礎構造体の構築方法において、後構築部を設けることによって、構築して形成されたＰＣ基礎構造体は、プレストレスによる軸変形の影響を殆ど受けることなく、所定の構造性能が得られる。
また、後構築部は、２０〜３０ｍ毎に設けることによって、緊張による軸変形を最小限に抑制されると共に、緊張材の長さによる緊張ロスを適切に抑制することができる。
なお、本願発明において、定着部とは、定着具及び緊張ジャッキ等を格納できるスーベスのことであり、プレキャスト梁中間部材とは、プレキャストコンクリート製とする梁中間部材であり、現場打ち梁端部材とは、現場打ちコンクリート製とする梁端部材である。
連結部とは、定着部と、緊張材のラップ区間と、緊張材の曲げ配線区間を含むものであり、緊張材の曲げ配線とは、一方から配設された緊張材を曲げて方向を変えて他方へ連続的に配設していくことであり、スパンとは、柱芯間の距離である。
【図面の簡単な説明】
【００１７】
【図１】本発明に係る免震建物構造における最下階に形成されたＰＣ基礎構造体を示す一部の側面図である。
【図２】同ＰＣ基礎構造体の平面配置図である。
【図３】図１のＡ−Ａ線に沿う拡大断面図である。
【図４】本発明に係るＰＣ基礎構造体の構築方法における上部構造と下部構造の最下部構造体の一部の第１工程を示す側面の説明図である。
【図５】同構築方法の第２工程を示す側面の説明図である。
【図６】同構築方法の第３工程を示す側面の説明図である。
【図７】同構築方法の第４工程を示す側面の説明図である。
【発明を実施するための形態】
【００１８】
本発明を図示の実施の形態に係る具体例について図面を参照して説明する。まず、図１〜図３について説明する。
建物ラーメン構造について、例えば、図１に示したように、上部構造と下部構造との間に免震装置が設置された免震建物構造とし、上部構造の最下階の構造体は、ＰＣ基礎構造体１とする。
まず、下部構造として、地盤に所要間隔をもって打ち込まれた複数の杭２の頭部近傍に水平繋ぎ部材３が設けられると共に、各杭頭部に天端調整台４が形成され、該天端調整台４の上部に夫々免震装置５が取り付けられて、免震層が形成され、その上に上部構造が構築される。
【００１９】
上部構造については、本願発明の要点となる最下階の構造体とするＰＣ基礎構造体１についてのみ説明し、その最下階のＰＣ基礎構造体１の上に柱と梁を構築して種々のラーメン構造を形成することができるので、その説明は省略する。
【００２０】
図示のように、最下階のＰＣ基礎構造体１は、所定のスパンをおいて複数の現場打ちコンクリート製のフーチング８とその間に配置されたコンクリート製の大梁６とで連続的に形成される。大梁６は、同じ部材幅で形成されるプレキャスト梁中間部材６ａと両端の現場打ち梁端部材６ｂとからなり、フーチング８と大梁６とを貫通して緊張材１１が配設され緊張定着してプレストレスが付与される。
なお、耐震構造の図示は省略するが、図示の免震装置５と下部構造を無くして、フーチング８の下に杭２を設けるだけで免震構造が耐震構造に変更される。耐震構造とする場合においても、本願発明のＰＣ基礎構造体１の構成は同様に適用可能とする。
【００２１】
緊張材１１の配置について、通常では、梁間方向及び桁行方向において、ラーメン構造の外周の一端から他端まで中断せずに連続的に配置することができないため、外周の一端から配設された緊張材１1とするＰＣ鋼線を一旦途中で止めて緊張定着して、続いて新たなＰＣ鋼線を配設して連結する必要がある。要するに、所定の長さ毎に連結部９を設ける必要がある。
図示にように、たとえば、基礎構造体１の外周右端のフーチング８に定着部１２を２箇所設け、２本の緊張材１１が定着部１２から左側へ延伸して配置される。緊張材１１は、複数のＰＣ鋼撚り線からなるＰＣケーブルとすることが好ましい。
【００２２】
定着部１２には、緊張材１１に所要の定着具を設ける。図示では、２本の緊張材１１は右端のフーチング８から一直線で２スパンを渡って３番目のフーチング８を貫通して端面に設けられた定着部１２まで配置される。引き続きとして平面において、同フーチング８の反対側の端面にて定着部２２を２箇所設けて、そして右側の梁端部材６ｂの幅より位置を広げて、それぞれ緊張作業を可能にしてある。
定着部２２から新たな緊張材２１を先に配置された緊張材１１とラップして配設し、左側の梁端部材６ｂへ延伸して、梁端部材６ｂ内に曲げ配線して梁中間部材６ａを貫通して他方へ延長して配置する。曲げ配線をするために、当該の梁端部材６ｂの部材幅は一般部の梁端部材６ｂ及び梁中間部材６ａより大きくしてある。
【００２３】
平面において、フーチング８としては、両端面に定着部１２と定着部２２をそれぞれ設け、緊張材２１の配線間隔を緊張材１１より幅を広げてラップしながら配置するものと、緊張材１１のみを一直線で貫通して、片端面に定着部１２を設けるものとがある。また、梁端部材６ｂとしては、緊張材２１を曲げ配線して平面間隔を変化させて配置する区間を設け、部材幅を梁中間部材６ａより大きくしたものと、緊張材１１を一直線で貫通して配置し、部材幅が梁中間部材６ａと同じとしたものとが２種類ある。
本願発明では、両端面に定着部１２と定着部２２をそれぞれ設けたフーチング８と、部材内に曲げ配線して部材幅を梁中間部材６ａより大きくした梁端部材６ｂとを合せて連結部９とする。
【００２４】
要するに、緊張材１１の配置には長さ的に制約があるために、一旦途中で中断して定着部１２にて緊張定着して、つなぎ材として新な緊張材２１を先に配置された緊張材１１とラップしながら交わして配置すると共に、別な定着部２２で緊張定着することになる。定着部２２の間隔を広げて設けることによって緊張材２１の間隔も広げて配置して、緊張材１１とラップして交わすのである。その後、緊張材２１の間隔を戻すように曲げ配線区間を設けて間隔を変化させて配設する。これらによって、フーチング部材８と梁端部材６ｂにおいては大きな部材断面や異なる部材断面となる箇所が発生する。
【００２５】
例えば、図２に示すように、外周の左端から１番目から３番目のフーチング８の間に配置された梁端部材６ｂは、緊張材１１が一直線で配設されているために、梁中間部材６ａと同じ部材幅で形成されるが、３番目のフーチングの左側の梁端部材６ｂは、緊張材２１の間隔を変化して曲げ配線区間を設けるために、幅を広くする必要となり、他の梁端部材６ｂと異なり、プレキャスト部材には不向きである。
また、通常では、フーチング８の部材断面は、梁間方向と桁行方向の大梁６（基礎梁）を連結すると共に、その上面に柱１４を設置し、その下に杭２を設置して荷重を伝達する為に、大梁６（基礎梁）より大きくしてある。また、図２に示すように、フーチング８の平面位置によって、その大きさも異なる。
【００２６】
そこで、本願発明では、フーチング８の部材断面が大きいという特徴を利用して、緊張材１１、２１のラップ区間と定着部１２、２２をフーチング８に設けるようにして、緊張材１１、２１を互いにずらして交わすために曲げ配線して間隔を広げて配置する区間を梁端部材６ｂに設けて対応することにし、各梁中間部材６ａは、断面形状寸法及び長さを同じにし、部材内の緊張材１１、２１の平面配設が一直線で貫通のみとして配設して形成するようにしたのである。
つまり、役物によって形状寸法がまちまちとなる部材を現場打ちコンクリートで対応し、プレキャストコンクリート製とする部材形状寸法及び長さを同じにし、より部材の製作を合理的かつ経済的にしたのである。
ただし、図示の実施例として部材の平面において、一方の緊張材２１を曲げて他方の緊張材１１と互いに交わして配置しているが、この限りではなく、部材の側面においても同様な方法で配置することができる。
【００２７】
構築される上部構造体の最下階のＰＣ基礎構造体１は、図２に示したように、平面においては左右方向を梁間方向とし、前後方向を桁行方向とするが、左右のみならず前後にも同じように設置することになるが、前後方向（桁行方向）の連結部の図示は省略した。
また、図３に示すように、プレキャスト梁中間部材６ａの上端に予め鉄筋１５を突出させて設けておいて、現場打ちトップコンクリート（スラブ含む）と梁端部材６ｂ及びフーチング８とを一体的に形成する。
図示は省略するが、プレキャスト梁中間部材６ａの両端部から鉄筋を出して、現場打ち梁端部材６ｂに定着若しくは鉄筋同士を接続することで部材を連結して一体化することができる。また、プレキャスト梁中間部材６ａに１次ケーブルをプレテンション方式で配設してプレストレスを導入させることができる。
【００２８】
また、本願発明でいうプレキャスト梁中間部材６ａと、トップコンクリートと形成された合成梁は、最終的に梁中間部材となる。各プレキャスト梁中間部材６ａを同じ断面形状寸法とすれば、トップコンクリートの厚さが同じであるから、最終的に得られる梁中間部材も同じである。なお、符号１６は各スパンに形成された大梁６間に取り付けられる小梁である。
ＰＣ基礎構造体１が形成された後に、フーチング８の上面に柱１４が立設され、図示は省略するが、梁が柱間に形成され、上部のラーメン構造が順次に構築されて形成される。
【００２９】
次に、図４〜図７に示すＰＣ基礎構造体１の構築方法について説明する。
複数の免震装置５間において、例えば、隣接する三か所の免震装置５の間に、それぞれプレキャストコンクリート製の梁中間部材６ａをサポート材７により所要高さで水平に且つ一直線上に支持させて設置する。
なお、梁中間部材６ａの断面形状寸法および長さを同じにすることとし、その長さは、スパン（柱芯間距離）の１/２〜２/３の範囲とし、例えば、１/２程度として部材形状寸法の統一化および軽量化することが好ましい。
【００３０】
梁中間部材６ａの両端から所定の長さで鉄筋を出して、現場打ち梁端部材６ｂに定着若しくは現場打ち梁端部材６ｂの鉄筋と接続して部材を連結して一体化するものとする。なお、鉄筋の図示は省略とする。
この状態で、図５に示したように、各免震装置５の上にはフーチング８と、梁端部材６ｂおよび梁中間部材６aの上面にトップコンクリート（スラブ含む）１０を現場打ちコンクリートを打設して一体的に形成する。
形成されたフーチング８と大梁６とに、緊張材１１を貫通して配置して定着部１２に緊張定着してプレストレスを付与して、ＰＣ基礎構造体１の一部が先行構築して形成される。
プレストレスによる軸変形を小さくするため、図示のように、１箇所に大梁６を後構築部１３として設けておくことが望ましい。
【００３１】
次に、図６に示すように、後構築部１３を開けて、その次のフーチング８から、前記の構築方法と同じようにして次のＰＣ基礎構造体１を連続して構築する。
【００３２】
最後に、図７に示すように、後構築部１３を前記と同じ手順で構築してＰＣ基礎構造体１を完成する。
【００３３】
このように構築して形成されたＰＣ基礎構造体１は、プレストレスによる軸変形の影響を殆ど受けることなく、所定の構造性能が得られるようにした。
また、後構築部１３は、緊張材１１の長さによる緊張ロスを適度に抑制するために、２０〜３０ｍ毎に設けることが望ましい。
【産業上の利用可能性】
【００３４】
本発明に係る建物ラーメン構造のＰＣ基礎構造体１及びその構築方法であって、該基礎構造体１は、少なくとも複数の現場打ちコンクリート製のフーチング８とその間に配置されたコンクリート製の大梁６とで連続的に形成され、前記大梁６は、同じ幅で形成されるプレキャスト梁中間部材６ａと両端の現場打ち梁端部材６ｂとからなり、前記フーチング８と大梁６とを貫通して緊張材１１、２１が配設され緊張定着してプレストレスが付与され、前記ＰＣ基礎構造体１の中間部において、少なくとも１箇所に緊張材１１、２１の連結部９が形成され、該連結部９は、フーチング８と部材幅が梁中間部材６ａより大きく形成される梁端部材６ｂとからなり、連結部９の平面において、フーチング８の対向する両端面に定着部１２，２２が位置をずらしてそれぞれ設けられ、一方から配設される緊張材１１がフーチング８を貫通して片端面の定着部１２に定着されると共に、他端面の定着部２２から新たな緊張材２１が先に配設された緊張材１１とラップして、梁端部材６ｂ内に曲げ配線して梁中間部材６ａを貫通して他方へ延伸して配設され、前記各梁中間部材６ａは、断面形状寸法を同じにし、部材内の緊張材１１、２１の配設が一直線で貫通のみとして形成されることによって、大きな部材断面や異なる部材断面となる箇所を現場打ちで形成される梁端部材６ｂとフーチング８に設けて対応し、プレキャスト部材とする各梁中間部材６ａを同じ断面形状寸法及び長さで形成し、該プレキャスト部材を形成する型枠の転用回数を多くしてコストダウンを図ると共に、軽量化して建設現場への搬入や揚重等を容易にし、合理的かつ作業効率を向上させたＰＣ基礎構造体１を形成することができる。
また、後構築部１３を設けて構築する方法によって、軸変形量を最小限に抑制することが可能になり、形成されたＰＣ基礎構造体１は、プレストレスによる軸変形の影響は殆ど受けることなく、所定の構造性能が得られる。
以上によって、この種建物ラーメン構造または免震建物構造に広く利用されることが可能である。
【符号の説明】
【００３５】
１  ＰＣ基礎構造体
２  杭
３  水平繋ぎ部材
４  天端調整台
５  免震装置
６  大梁
６ａ  梁中間部材
６ｂ  梁端部材
７  サポート材
８  フーチング
９  連結部
１０  トップコンクリート（スラブ）
１１、２１  緊張材
１２、２２  定着部
１３  後構築部
１４  柱
１５  鉄筋
１６  小梁
【要約】      （修正有）【課題】プレキャスト部材を形成する型枠の転用回数を多くしてコストダウンを図ると共に、部材を軽量化して建設現場への搬入や揚重等を容易にし、合理的かつ作業効率を向上させたＰＣ基礎構造体を提供する。【解決手段】基礎構造体は、複数の現場打ちコンクリート製のフーチング８とその間に配置されたコンクリート製の大梁６とで連続的に形成され、大梁６は、同じ部材幅で形成されるプレキャスト梁中間部材６ａと両端の現場打ち梁端部材６ｂとからなり、フーチングと大梁とを貫通して緊張材１１，２１が配設され緊張定着してプレストレスが付与され、基礎構造体の中間部において、連結部９が配置され、連結部は、フーチングと部材幅が梁中間部材より大きく形成される梁端部材とからなり、連結部の平面において、フーチングの対向する両端面に定着部１２，２２がそれぞれ設けられ、一方から配設される緊張材がフーチングを貫通して片端面の定着部に定着される。【選択図】図２【図１】
0006685570.tif 000002
【図２】
0006685570.tif 000003
【図３】
0006685570.tif 000004
【図４】
0006685570.tif 000005
【図５】
0006685570.tif 000006
【図６】
0006685570.tif 000007
【図７】
0006685570.tif 000008